(57)【要約】【課題】既知の伝送フォーマットのみならず、新たな伝送フォーマットの信号についても柔軟に対応して切替可能な光伝送路切替装置を提供する。【解決手段】電気スイッチであるマトリクススイッチに代えて光スイッチ１１を用い、この光スイッチ１１の各入出力端子に接続される光ケーブル１２の端末に設けられる例えばＳＤＨ出力インタフェース部１５−２に、光スイッチ１１からの光信号を電気信号に変換し、この電気信号をＳＤＨ用の接続機器の電気信号に波形整形して出力する機能を持たせるようにしている。【選択図】    図１
2005064576.tif 000002
【特許請求の範囲】
【請求項１】
複数の入出力系統の光伝送路を切り替える光スイッチと、
この光スイッチの各出力端子に接続される光伝送路の少なくとも一部の端末に設けられ、前記光スイッチからの光信号を電気信号に変換し、この電気信号を被接続通信機器の電気信号に波形整形して出力する出力インタフェース部とを具備したことを特徴とする光伝送路切替装置。
【請求項２】
前記光スイッチの各入力端子に接続される光伝送路の少なくとも一部の端末に設けられ、被接続通信機器の電気信号を波形整形して光信号に変換し、前記光スイッチへの光伝送路に送出する入力インタフェース部をさらに備えることを特徴とする請求項１記載の光伝送路切替装置。
【請求項３】
前記出力インタフェース部は、予め複数の信号フォーマットに対応し、接続される通信機器に応じて選択設定する機能を有することを特徴とする請求項１記載の光伝送路切替装置。
【請求項４】
前記入力インタフェース部は、予め複数の信号フォーマットに対応し、接続される通信機器に応じて選択設定する機能を有することを特徴とする請求項２記載の光伝送路切替装置。
【請求項５】
前記複数系統の光伝送路のうち前記出力インタフェース部が接続されない光伝送路の端末に設けられ、前記光スイッチからの光信号を電気信号に変換し、この電気信号を被接続通信機器の電気信号に波形整形して出力し、被接続通信機器の電気信号を波形整形して光信号に変換し、前記光スイッチへの光伝送路に送出する入出力インタフェース部をさらに備えることを特徴とする請求項１記載の光伝送路切替装置。
【発明の詳細な説明】
【０００１】
【発明の属する技術分野】
この発明は、複数の伝送レートが混在する通信機器を選択的に交換接続する光伝送路切替装置に関する。
【０００２】
【従来の技術】
近年、デジタル放送の開始に伴い、放送局内では複数フォーマットの信号を取り扱うようになってきた。この複数フォーマットの信号としては、ＳＤＴＶ（Ｓｔａｎｄａｒｄ  Ｄｅｆｉｎｉｔｉｏｎ  Ｔｅｌｅｖｉｓｉｏｎ），ＨＤＴＶ（Ｈｉｇｈ  Ｄｅｆｉｎｉｔｉｏｎ  Ｔｅｌｅｖｉｓｉｏｎ）及びＭＰＥＧ−ＴＳ（Ｍｏｖｉｎｇ  Ｐｉｃｔｕｒｅ  Ｅｘｐｅｒｔ  Ｇｒｏｕｐ−Ｔｒａｎｓｐｏｒｔ  Ｓｔｒｅａｍｅｒ）等がある。このような背景から、放送局内では入力信号の伝送レートに依存しない複数フォーマットを扱うことができる映像分配装置により映像信号の切替が行われる（例えば特許文献１）。この映像分配装置は、入力部及び出力部に種々の伝送レートに対応するインタフェース部を備え、入力部で入力信号の波形劣化を復調し、スイッチング（信号切替）を行う。このスイッチ部で選択された信号を出力部で波形劣化を復調して出力伝送路に出力するようにしている。
【０００３】
【特許文献１】
特開２０００−１０２０４６号公報。
【０００４】
【発明が解決しようとする課題】
ところで、ブロードバンド化に伴い映像信号は従来の映像フォーマットのみでなく、通信分野のハイアラーキであるＳＤＨ（Ｓｙｎｃｈｒｏｎｏｕｓ  Ｄｉｇｉｔａｌ  Ｈｉａｒａｃｈｙ），ＡＴＭ（Ａｓｙｎｃｈｒｏｎｏｕｓ  Ｔｒａｎｓｆｅｒ  Ｍｏｄｅ）のフォーマットでも伝送されるようになってきている。しかし、上記映像分配装置はＳＤＴＶやＨＤＴＶのような映像フォーマットには対応しているものの、通信分野における信号フォーマットには対応できていないために、ＳＤＨ，ＡＴＭ等の信号を扱えないという問題があった。
これを解決するためには、入力部、出力部のインタフェース構成の設計変更が余儀なくされ、コストが大幅に増大してしまう。
そこで、この発明の目的は、既知の伝送フォーマットのみならず、新たな伝送フォーマットの信号についても柔軟に対応して切替可能な光伝送路切替装置を提供することにある。
【０００５】
【課題を解決するための手段】
この発明は、上記目的を達成するために、以下のように構成される。
（１）複数の入出力系統の光伝送路を切り替える光スイッチと、この光スイッチの各出力端子に接続される光伝送路の少なくとも一部の端末に設けられ、光スイッチからの光信号を電気信号に変換し、この電気信号を被接続通信機器の電気信号に波形整形して出力する出力インタフェース部とを備えるようにしたものである。
【０００６】
（１）の構成によれば、光スイッチを用いただけでなく、この光スイッチの各出力端子に接続される光伝送路の端末に設けられる出力インタフェース部に、光スイッチからの光信号を電気信号に変換し、この電気信号を被接続通信機器の電気信号に波形整形して出力する機能を持たせるようにしている。従って、光スイッチに新たな伝送フォーマットに対応するインタフェース部を設ける必要がなく、１つの光スイッチの多数の伝送フォーマットの信号で共用することができ、これにより比較的小型でかつ安価な装置を提供でき、新たな伝送フォーマットに対応する信号の切替を行うことができる。
【０００７】
（２）出力インタフェース部は、予め複数の信号フォーマットに対応し、接続される通信機器に応じて選択設定する機能を有することを特徴とする。
（２）の構成によれば、既知の通信機器から新たな伝送フォーマットが要求される通信機器に交換接続する場合に、既知の通信機器に対応する出力インタフェース部を新たな通信機器に対応する出力インタフェース部に交換することなく、そのまま使用することができる。
【０００８】
【発明の実施の形態】
以下、この発明の実施形態について図面を参照して詳細に説明する。
図１は、この発明に係る光伝送路切替装置の一実施形態の構成を示すブロック図である。
図１において、符号１１は光スイッチで、複数系統の光ケーブル１２，１３の切替を行う。また、光スイッチ１１は、局外からの光ケーブル１４と複数系統の光ケーブル１２，１３との切替も行っている。
【０００９】
また、光ケーブル１２の端末には、スタジオＡにおけるＳＤＨ入力インタフェース部１５−１、ＳＤＨ出力インタフェース部１５−２、ＡＴＭ入出力インタフェース部１５−３、ＩＰ（Ｉｎｔｅｒｎｅｔ  Ｐｒｏｔｏｃｏｌ）入出力インタフェース部１５−４、マルチ入出力インタフェース部１５−５が設けられる。さらに、光ケーブル１３の端末には、編集室ＢにおけるＳＤＨ入力インタフェース部１６−１、ＳＤＨ出力インタフェース部１６−２、ＡＴＭ入出力インタフェース部１６−３、ＩＰ入出力インタフェース部１６−４、マルチ入出力インタフェース部１６−５が設けられる。
【００１０】
ＳＤＨ入力インタフェース部１５−１は、ＳＤＨ用の接続機器の伝送フォーマットに対応し、その伝送フォーマットの信号を光ケーブル１２用に波形整形して光信号に変換する。ＳＤＨ出力インタフェース部１５−２は、光スイッチ１１の出力信号を電気信号に変換し、波形整形してＳＤＨ用の接続機器に出力する。
【００１１】
ＡＴＭ入出力インタフェース部１５−３は、ＡＴＭ用の接続機器の伝送フォーマットに対応し、その伝送フォーマットの信号を光ケーブル１２用に波形整形して光信号に変換するとともに、光スイッチ１１の出力信号を電気信号に変換し、波形整形してＡＴＭ用の接続機器に出力する。
【００１２】
ＩＰ入出力インタフェース部１５−４は、イーサネットの伝送フォーマットに対応し、その伝送フォーマットの信号を光ケーブル１２用に波形整形して光信号に変換するとともに、光スイッチ１１の出力信号を電気信号に変換し、波形整形してイーサネットに出力する。
【００１３】
マルチ入出力インタフェース部１５−５は、予め複数の信号フォーマットに対応し、接続される通信機器に応じて選択設定する機能を有するものである。
なお、ＳＤＨ入力インタフェース部１６−１、ＳＤＨ出力インタフェース部１６−２、ＡＴＭ入出力インタフェース部１６−３、ＩＰ入出力インタフェース部１６−４、マルチ入出力インタフェース部１６−５については、上記ＳＤＨ入力インタフェース部１５−１、ＳＤＨ出力インタフェース部１５−２、ＡＴＭ入出力インタフェース部１５−３、ＩＰ入出力インタフェース部１５−４、マルチ入出力インタフェース部１５−５と同一機能を有するので説明を省略する。
【００１４】
上記構成において、以下に放送局における局内伝送システムに適用した場合を例にして、その動作を説明する。
以前は、図２に示すように、マトリクススイッチ２１が適当な切替制御室に配置され、そこからＭＰＥＧ編集室２２、ＤＶＣ（デジタルビデオカムコーダ）編集室２３、ＨＤＴＶスタジオ２４、ＳＤＴＶスタジオ２５へ同軸ケーブルが敷設され、その端末にそれぞれの部屋で必要な接続機器が取り付けられる。
【００１５】
例えば、ＳＤＴＶスタジオ２５では、ＳＤＴＶカメラ出力をＳＤＴＶ対応の入力インタフェース部に接続する。この入力インタフェース部では、電気信号としてのカメラ出力信号を同軸ケーブルを介してマトリクススイッチ２１に送るようにしている。
【００１６】
ここで、上記マトリクススイッチ２１では、最高ＨＤＴＶフォーマットの映像信号までしか取り扱うことができず、例えば局外からの通信信号を取り扱うことできなかった。そこで、本実施形態では、マトリクススイッチ２１を光スイッチ１１に代えることで、局外からのＡＴＭフォーマットの映像信号やＳＤＨフォーマットの映像信号を１つの光スイッチ１１で共用できるようになった。
【００１７】
例えばスタジオＡにおいて、ＡＴＭ用の通信機器をＡＴＭ対応のＡＴＭ入出力インタフェース部１５−３に接続する。このＡＴＭ入出力インタフェース部１５−３では、ＡＴＭ出力信号レートに応じた波形整形を行い、さらに光信号に変換して、光ケーブル１２を介して光スイッチ１１に送る。この光スイッチ１１では、スタジオＡからの光信号を送出先の編集室Ｂに送出する。編集室Ｂでは、光スイッチ１１から光ケーブル１３を介して送られた光信号をＡＴＭ入出力インタフェース部１６−３で受信し、電気信号に変換し波形整形してＡＴＭ用の通信機器に出力する。
【００１８】
上記のような環境において、ＩＰ入出力インタフェース部１５−４をＡＴＭ入出力インタフェース部１５−３に変更する場合、光ケーブル１２の端末に設けられたＩＰ入出力インタフェース部１５−４をＡＴＭ入出力インタフェース部１５−３に交換するだけでよく、光スイッチ１１本体に何ら手を加える必要がない。
【００１９】
また、光スイッチ１１の入出力ラインは、全て同一条件で並列的な存在であり、入出力信号は全て同一の伝送レートとなっているので、空ラインがある限り、接続機器の増加に容易に対応することができる。さらに、将来、新たな伝送フォーマットを要求する通信機器が出現したとしても、それに対応する入力インタフェース部あるいは出力インタフェース部を製作し、交換するだけでよい。
【００２０】
以上のように上記実施形態では、マトリクススイッチ２１に代えて光スイッチ１１を用い、この光スイッチ１１の各入出力端子に接続される光ケーブル１２の端末に設けられる例えばＳＤＨ出力インタフェース部１５−２に、光スイッチ１１からの光信号を電気信号に変換し、この電気信号をＳＤＨ用の接続機器の電気信号に波形整形して出力する機能を持たせるようにしている。
【００２１】
従って、光スイッチ１１に新たな伝送フォーマットに対応するインタフェース部を設ける必要がなく、１個の光スイッチ１１を多数の伝送フォーマットの信号で共用することができ、これにより装置全体の小型化及び低コスト化を図ることができ、さらに新たな伝送フォーマットに対応する信号の切替を行うことができる。
【００２２】
また、上記実施形態では、スタジオＡ、編集室Ｂにそれぞれマルチ入出力インタフェース部１５−５，１６−５を備えており、これらマルチ入出力インタフェース部１５−５，１６−５には、予め複数の伝送フォーマットに対応させておき、接続される通信機器に応じて選択設定できるようにしている。このため、既知の通信機器から新たな伝送フォーマットが要求される通信機器に交換接続する場合に、インタフェース部の交換を行う必要がなく、そのまま使用することができ、これにより汎用性があり、便利となる。
なお、この発明は上記実施形態の範囲に限定されるものではなく、取り扱う通信信号の種類や、インタフェース部の構成等についても、この発明の要旨を逸脱しない範囲で種々変形して実施できる。
【００２３】
【発明の効果】
以上詳述したようにこの発明によれば、既知の伝送フォーマットのみならず、新たな伝送フォーマットの信号についても柔軟に対応して切替可能な光伝送路切替装置を提供することができる。
【図面の簡単な説明】
【図１】この発明に係る光伝送路切替装置の一実施形態の構成を示すブロック図。
【図２】従来から使用されていたマトリクススイッチを備える映像分配装置の構成を示すブロック図。
【符号の説明】
１１…光スイッチ、１２，１３，１４…光ケーブル、１５−１…ＳＤＨ入力インタフェース部、１５−２…ＳＤＨ出力インタフェース部、１５−３…ＡＴＭ入出力インタフェース部、１５−４…ＩＰ入出力インタフェース部、１５−５…マルチ入出力インタフェース部、１６−１…ＳＤＨ入力インタフェース部、１６−２…ＳＤＨ出力インタフェース部、１６−３…ＡＴＭ入出力インタフェース部、１６−４…ＩＰ入出力インタフェース部、１６−５…マルチ入出力インタフェース部、２１…マトリクススイッチ、２２…ＭＰＥＧ編集室、２３…ＤＶＣ編集室、２４…ＨＤＴＶスタジオ、２５…ＳＤＴＶスタジオ。
【図１】
2005064576.tif 000003
【図２】
2005064576.tif 000004